(57)【特許請求の範囲】
【請求項１】
硬貨が積層収納される収納筒と、この収納筒の下方に設けられた底板と、この底板の一端との間に硬貨を払い出す払出口を形成する第１のスライダと、この第１のスライダおよび前記底板と前記収納筒の下端との間を摺動するとともに、前記収納筒の最下層の硬貨を引き出す第２のスライダと、この第２のスライダの前記収納筒側に設けられるとともに、前記収納筒の最下部の硬貨が収納される収納孔とを備え、前記第２のスライダは、前記収納筒に収納される硬貨の厚みより厚くするとともに、前記収納孔の底板側は、前記収納孔に収納された硬貨の厚みの下側から上方に向かって開いたテーパを有する硬貨払出部。
【請求項２】
第２のスライダの厚みは、対象硬貨の厚みより略０．２ｍｍ厚くした請求項１記載の硬貨払出部。
【請求項３】
収納孔のテーパ角は、水平方向に対し、略２５度とした請求項２記載の硬貨払出部。
【請求項４】
底板には、収納孔側の水平方向に対して略２５度のテーパを設けた請求項１記載の硬貨払出部。
【請求項５】
請求項１から４のいずれかに記載の硬貨払出部を用いた硬貨識別装置。
【発明の詳細な説明】
【０００１】
【発明の属する技術分野】
本発明は、自動販売機等に使用される硬貨払出部とこれを用いた硬貨識別装置に関するものである。
【０００２】
【従来の技術】
以下、従来の硬貨払出装置について説明する。従来の硬貨払出部は、図３に示すように、硬貨識別装置１の下方に設けられている。ところで、この硬貨識別装置１は、硬貨の投入口から投入された硬貨は識別部２で識別されて、振分部３で金種別に振り分けられる。金種別に振り分けられた硬貨は、それぞれの金種に応じた収納筒５に積層収納される。そして、必要に応じて硬貨払出部から払い出されるわけである。
【０００３】
図４は、この硬貨払出部の要部断面図である。図４は、複数個ある硬貨収納筒の１つを示したものである。図４（ａ）において、５は収納筒であり、硬貨６が積層収納されている。また、７は積層収納された硬貨６の下方に設けられた底板で、８は第１のスライダである。底板７の端面７ａとの間に第１のスライダ８を摺動させることにより、硬貨の払出口９が形成される。１０は第２のスライダであり、底板７およびスライダ８と収納筒５の下端との間を摺動できるように形成されている。また、１０ａは、収納筒５の最下部の硬貨６ａが収納される収納孔である。ここで、硬貨６ａを払い出す場合、第２のスライダ１０をＡ方向へ引くことにより最下層の硬貨６ａがＡ方向へ引き出される。このとき硬貨６ａを払い出す場合には、第１のスライダ８もＡ方向に引かれ、払出口９を通って硬貨６ａが払い出しされるわけである。また、この最下層の硬貨６ａを払い出さない場合には、第１のスライダ８はそのまま待機位置に停止しており、第２のスライダ１０のみＡ方向に移動する。この場合には、第２のスライダ１０がＡ方向に引かれるが、次にスライダ１０をＢ方向に戻すことによって、硬貨６ａは、また、元の収納筒５に戻るわけである。ここで、この第２のスライダ１０の厚み１０ｂは、硬貨６の厚みよりも小さく構成されている。なぜなら、これより厚くすると硬貨６を２枚一度に引き出すことになるので、これを防止するためのものである。
【０００４】
【発明が解決しようとする課題】
しかしながらこのような従来の構成では、図４（ｂ）に示すように、第２のスライダ１０の厚み１０ｂは、硬貨６の厚みより小さいので、スライダ１０を引き出した状態においては、積層収納された硬貨６の重量によるＣ方向の力を受ける。つまり、最下層の硬貨６ａは底板７の面より下がることになる。このことにより、図４（ｃ）に示すように、Ｂ方向に第２のスライダ１０を摺動させると最下層の硬貨６ａの先端６ｂは、底板７の先端７ａと衝突することになる。さらに、この状態でＢ方向に第２のスライダ１０が押されるので、底板７の先端７ａやこの先端７ａに続く上面７ｂが削られるという問題があった。また、第２のスライダ１０の厚み１０ｂは、硬貨６の厚みより小さいので、第２のスライダ１０を戻すには大きな力も必要であった。本発明は、このような課題を解決するもので、寿命の長い硬貨払出部を提供することを目的としたものである。
【０００５】
【課題を解決するための手段】
この目的を達成するために、本発明の硬貨払出部の第２のスライダは、収納筒に収納される硬貨の厚みより厚くするとともに、収納孔の底板側は、前記収納孔に収納された硬貨の厚みの下側から上方に向かって開いたテーパを有する構成としたものである。これにより、硬貨払出部の長寿命化を図ることができる。
【０００６】
【発明の実施の形態】
本発明の請求項１に記載の発明は、硬貨が積層収納される収納筒と、この収納筒の下方に設けられた底板と、この底板の一端との間に硬貨を払い出す払出口を形成する第１のスライダと、この第１のスライダおよび前記底板と前記収納筒の下端との間を摺動するとともに、前記収納筒の最下層の硬貨を引き出す第２のスライダと、この第２のスライダの前記収納筒側に設けられるとともに、前記収納筒の最下部の硬貨が収納される収納孔とを備え、前記第２のスライダは、前記収納筒に収納される硬貨の厚みより厚くするとともに、前記収納孔の底板側は、前記収納孔に収納された硬貨の厚みの下側から上方に向かって開いたテーパを有する硬貨払出部であり、このように、第２のスライダの厚みを硬貨の厚みより厚くしているので、底板の先端に続く上面が削られることはない。また、この厚みで、上方に積層収納された硬貨をガードするので、最下層の硬貨を戻すのに大きな力を必要としない。このことにより、底板に傷をつけることもなく、硬貨払出部の寿命を長くすることができる。また、硬貨厚みの下側から上方に向かってテーパを有しているので、１枚ずつ確実に硬貨を払い出すことができる。
【０００７】
請求項２に記載の発明は、第２のスライダの厚みを硬貨の厚みより略０．２ｍｍ厚くした請求項１記載の硬貨払出部であり、このように厚くすることにより、最下層の硬貨は積層収納された硬貨との間に隙間を発生させることができ、積層硬貨からの干渉がなくなり、積層収納された硬貨枚数に影響されず少ない力で安定した確実な払い出しが可能となる。
【０００８】
請求項３に記載の発明は、収納孔のテーパ角を水平方向に対し、略２５度とした請求項２記載の硬貨払出部であり、このようなテーパ角を設けることにより、確実に硬貨を引っ張ることができるとともに最下層の硬貨は、隙間を有するので引っ張る力を少なくできる。
【０００９】
請求項４に記載の発明は、底板には、収納孔側の水平方向に対して略２５度のテーパを設けた請求項１記載の硬貨払出部であり、このようなテーパ角を設けることにより、戻し力を少なくすることができる。
【００１０】
請求項５に記載の発明は、請求項１から４のいずれかに記載の硬貨払出部を用いた硬貨識別装置であり、このような硬貨払出部を用いることにより、寿命の長い硬貨識別装置を実現することができる。
【００１１】
以下、本発明の実施の形態について、図面を用いて説明する。図１において、１１は硬貨６が積層収納された収納筒である。１２は収納筒１１の下方に設けられた底板で、この底板１２の先端１２ａに対向して第１のスライダ１３が設けられており、この第１のスライダ１３は、Ａ方向へあるいは、Ｂ方向へ摺動することができる。この第１のスライダ１３がＡ方向に移動することにより、最下層の硬貨６ａが払い出される払出口１４が先端１２ａとの間に形成される。また、１５は第２のスライダであり、この第２のスライダ１５は、収納筒１１の下端と底板１２あるいは第１のスライダ１３との間に摺動可能に設けられている。そして、この第２のスライダ１５もやはり第１のスライダ１３と同様にＡ方向あるいはＢ方向に摺動可能に設けられている。なお１７は収納筒の収納孔である。
【００１２】
図２は、第２のスライダ１５の平面図である。図２において、１７ａは５００円硬貨が収納される収納孔であり、１７ｂは１０円硬貨が収納される収納孔である。また、１７ｃは５０円硬貨が収納される収納孔であり、１７ｄは１００円硬貨が収納される収納孔である。そして、１７ｅは補助硬貨が収納される収納孔である。このように、収納筒１１は複数個設けられており、それぞれの金種により定められた収納筒１１に硬貨が積層収納されるわけである。これでもわかるように硬貨を払い出す場合には、５００円硬貨の収納筒１７ａから補助硬貨の収納孔１７ｅまでのすべての収納孔を一度に引き出したり、戻したりしている。そして、このとき実際に払い出される硬貨は、この下に設けられている第１のスライダ１３がともに摺動するかどうかで決定される。つまり、複数個ある収納筒１１の該当された収納筒１１の硬貨を払い出す場合は、第１のスライダ１３と第２のスライダ１５とは同様に引かれる。選択されていない収納筒１１の場合では、第１のスライダ１３は停止しており、第２のスライダ１５のみＡ方向あるいはＢ方向に摺動する。
【００１３】
ここで、第２のスライダ１５の厚み１５ａは、硬貨６の厚みよりも約０．２ｍｍ厚くしている。（これは、０．１から０．４ｍｍの厚みがあればよい。）このように厚みを約０．２ｍｍ厚くすることにより、第２のスライダ１５を引き出す時に空間部１８が形成され、収納筒１１に積層収納された硬貨６の枚数に影響されることなく安定した払い出しが可能となる。また、第２のスライダ１５には、テーパ１６が形成されている。このテーパ１６は、硬貨６の板厚より下方から始まって上方に向かって広がったテーパであり、そのテーパ角は、硬貨の水平面に対し約２５度の角度としている。この角度は１５度から３５度の角度を用いれば良好な結果が得られる。さらには、補助収納筒のような複数種の金種に対応する収納筒１１の場合は、もっとも薄い硬貨６の厚みより低い位置からテーパを形成し始めるとともに第２のスライダ１５の厚みをもっとも厚い硬貨６の厚み以上にすることで、同様な効果が得られる。このように、第２のスライダ１５の厚みを硬貨６の厚みより厚くし、硬貨６の厚みより低い位置からテーパを設けた硬貨払出部を硬貨識別装置に用いることで長寿命の硬貨識別装置が実現できる。
【００１４】
以上のように、本発明においては第２のスライダ１５の収納筒１１側に設けられるとともに、収納筒１１の最下部の硬貨が収納される収納孔１７ａ〜１７ｅを設けている。また、第２のスライダ１５は、収納筒１１に収納される硬貨６の厚みより厚くするとともに、収納孔１７ａ〜１７ｅの少なくとも底板１２側は、収納孔１７ａ〜１７ｅに収納された硬貨の厚みの下側から上方に向かって開いたテーパ１６を有しているので、底板１２の先端１２ａに続く上面が削られることはない。また、このテーパ１６により硬貨６は２枚同時に引き出されることもない。さらには、この厚み１５ａで、上方に積層収納された硬貨６をガードするので、最下層の硬貨６ａに力が加わることがない。したがって、最下部の硬貨６ａは、収納筒１１に積層収納された硬貨６の枚数に影響されなく、安定した硬貨払い出しが実現できる。
【００１５】
【発明の効果】
以上のように本発明は、第２のスライダの厚みを硬貨の厚みより厚くしているので底板の先端に続く上面が削られることはない。また、この厚みで、上方に積層収納された硬貨をガードするので最下層の硬貨を戻すのに大きな力を必要としないので、底板を傷つけることもなく、硬貨払出部の寿命を長くすることができる。また、硬貨厚みの下側から上方に向かってテーパを有しているので、１枚ずつ確実に硬貨を払い出すことができる。
【図面の簡単な説明】
【図１】（ａ）は、本発明の一実施の形態による硬貨払出部の第１の状態を示す要部断面図
（ｂ）は、同、第２の状態を示す要部断面図
【図２】同、硬貨払出部の第２のスライダの平面図
【図３】従来の硬貨識別装置の斜視図
【図４】（ａ）は、従来の硬貨払出部の第１の状態を示す要部断面図
（ｂ）は、同、第２の状態を示す要部断面図
（ｃ）は、同、第３の状態を示す要部断面図
【符号の説明】
６  硬貨
１１  収納筒
１２  底板
１３  第１のスライダ
１４  払出口
１５  第２のスライダ
１５ａ  第２のスライダの厚み
１６  テーパ
１７  収納孔
【図１】
0003622544.tif 000002
【図２】
0003622544.tif 000003
【図３】
0003622544.tif 000004
【図４】
0003622544.tif 000005